(57)【要約】【課題】フィルタの掃除を容易化した空気調和機を提供する【解決手段】空気調和機本体３が熱交換器７及び送風機９を備え、熱交換器７に対向させて前面１１及び天面１３に吸込み口１５，１７を備え、吸込み口１５，１７に吸込みフィルタ３３を配置した空気調和装置１において、吸込みフィルタ３３がフィルタ支持枠６２とフィルタ支持枠６２に設けた使い捨て可能な使い捨てフィルタ素材６１とで構成され、フィルタ支持枠６２には使い捨てフィルタ素材６１に設けた孔を貫通して使い捨てフィルタ素材６１をフィルタ支持枠６２に着脱自在に支持するフック機構７０を設けた。【選択図】図８
2009085472.tif 000002
【特許請求の範囲】
【請求項１】
空気調和機本体が熱交換器及び送風機を備え、熱交換器に対向させて前面及び天面に吸込み口を備え、該吸込み口に吸込みフィルタを配置した空気調和装置において、前記吸込みフィルタが支持枠と該支持枠に設けた使い捨て可能なフィルタ素材とで構成され、前記支持枠には該フィルタ素材に設けた孔を貫通してフィルタ素材を支持枠に着脱自在に支持するフック機構を設けたことを特徴とする空気調和装置。
【請求項２】
空気調和機本体が熱交換器及び送風機を備え、熱交換器に対向させて前面及び天面に吸込み口を備え、該吸込み口に吸込みフィルタを配置した空気調和装置において、前記吸込みフィルタが昇降枠に支持され、該昇降枠が前記吸込みフィルタを指示した状態でリモートコントローラの指示により上昇・下降制御自在に構成され、前記吸込みフィルタが支持枠と該支持枠に設けた使い捨て可能なフィルタ素材とで構成され、前記支持枠には該フィルタ素材に設けた孔を貫通してフィルタ素材を支持枠に着脱自在に支持するフック機構を設けたことを特徴とする空気調和装置。
【請求項３】
前記支持枠の上縁部に先細りのガイド部を設け、該ガイド部の高さを前記フィルタ素材の厚みよりも高く形成したことを特徴とする請求項２に記載の空気調和装置。
【請求項４】
前記支持枠が矩形状の枠部と、枠部の内側を井桁状に仕切る桁部と、桁部の間に設けた網部とを含み、該網部の圧力損失と、前記網部に重ねた前記フィルタ素材の圧力損失との合計圧力損失が、前記吸込みフィルタに許容される圧力損失に対応して規定されていることを特徴とする請求項１乃至３のいずれかに記載の空気調和装置。
【発明の詳細な説明】
【技術分野】
【０００１】
本発明は、フィルタを備える空気調和装置に関する。
【背景技術】
【０００２】
従来、室内熱交換器及び送風ファンを収納する空気調和機本体と、この空気調和機本体から下方へ向かって自動で引出自在に設けられた昇降枠と、この昇降枠に着脱自在に取り付けられた吸込みフィルタとを備えた空気調和装置が知られている（例えば、特許文献１参照）。この種の空気調和機では、吸込みフィルタの掃除を行う際は、空気調和機本体から昇降枠を下方へ向かって引き出し、引き出した昇降枠から吸込みフィルタを取り外し、この吸込みフィルタを例えば掃除機や布巾等を利用して洗浄した後、再び吸込みフィルタを昇降枠に取り付け、この昇降枠を空気調和機本体に収納している。
【特許文献１】特開特開２００３−６５５９４号公報
【発明の開示】
【発明が解決しようとする課題】
【０００３】
しかしながら、従来の空気調和機では、吸込みフィルタの掃除を行う際は、上述したように、掃除機により吸込みフィルタに付いた塵埃を吸引し、また、布巾等によって吸込みフィルタを拭く、といった労力を要する洗浄作業が必要であり、吸込みフィルタの掃除にかかる作業が煩雑化してしまう、という問題があった。
また、一般的な吸込みフィルタでは、例えば台所などでの空気調和機の使用に当たり、この吸込みフィルタに油が付着し、吸込みフィルタの洗浄が困難であった。
本発明は、上述した事情に鑑みてなされたものであり、フィルタの掃除を容易化した空気調和機を提供することを目的とする。
【課題を解決するための手段】
【０００４】
上記目的を達成するために、本発明は、空気調和機本体が熱交換器及び送風機を備え、熱交換器に対向させて前面及び天面に吸込み口を備え、該吸込み口に吸込みフィルタを配置した空気調和装置において、前記吸込みフィルタが支持枠と該支持枠に設けた使い捨て可能なフィルタ素材とで構成され、前記支持枠には該フィルタ素材に設けた孔を貫通してフィルタ素材を支持枠に着脱自在に支持するフック機構を設けたことを特徴とする。
また、上記目的を達成するために本発明は、空気調和機本体が熱交換器及び送風機を備え、熱交換器に対向させて前面及び天面に吸込み口を備え、該吸込み口に吸込みフィルタを配置した空気調和装置において、前記吸込みフィルタが昇降枠に支持され、該昇降枠が前記吸込みフィルタを指示した状態でリモートコントローラの指示により上昇・下降制御自在に構成され、前記吸込みフィルタが支持枠と該支持枠に設けた使い捨て可能なフィルタ素材とで構成され、前記支持枠には該フィルタ素材に設けた孔を貫通してフィルタ素材を支持枠に着脱自在に支持するフック機構を設けたことを特徴とする。
ここで、上記発明の空気調和装置において、前記支持枠の上縁部に先細りのガイド部を設け、該ガイド部の高さを前記フィルタ素材の厚みよりも高く形成するようにしてもよい。するようにしてもよい。
また、上記発明の空気調和装置において、前記支持枠が矩形状の枠部と、枠部の内側を井桁状に仕切る桁部と、桁部の間に設けた網部とを含み、該網部の圧力損失と、前記網部に重ねた前記フィルタ素材の圧力損失との合計圧力損失が、前記吸込みフィルタに許容される圧力損失に対応して規定されているようにしてもよい。
【発明の効果】
【０００５】
本発明によれば、吸込みフィルタが支持枠と、この支持枠に設けた使い捨て可能なフィルタ素材とを備えると共に、支持枠に設けたフック機構によってこのフィルタ素材を支持枠に対し簡単に脱着することができるため、ユーザ等は、吸込みフィルタを掃除する際、使用済みのフィルタ素材を支持枠から取り外し、使用前のフィルタ素材を支持枠に取り付けることによって簡単に吸込みフィルタの掃除を行うことができる。
【発明を実施するための最良の形態】
【０００６】
以下、図面を参照しながら、本発明の一実施の形態について説明する。
図１は、壁掛け型空気調和装置の斜視図、図２はその断面図である。空気調和装置１は樹脂成形した空気調和機本体３と、空気調和機本体３の前面側に配置された樹脂成形の前面パネル５とを備え、空気調和機本体３は、図２に示すように、その内側に断面略Ｃ字状の熱交換器７と、この熱交換器７の内側に配置した送風機９とを備えている。空気調和機本体３は、前面１１及び天面１３（図３参照）に吸込口１５，１７を備えており、上記送風機９の駆動により、前面１１及び天面１３の吸込口１５，１７から吸い込んだ室内空気を、熱交換器７に通流し、ここで熱交換した空気は、空気調和機本体３の送風機９の下流に設けた吹出口１９から室内に吹き出される。
【０００７】
上記吹出口１９は、スクロール部２１と舌部２２とで囲まれており、スクロール部２１の出口側には風向変更用の複数の縦羽根２３が配置され、各縦羽根２３同士はスクロール部２１の裏側でリンク部材２４により連結され、縦羽根駆動モータ（不図示）に連結されている。２５は水平フラップであり、フラップ駆動モータ（不図示）に連結されている。該フラップ２５の回動姿勢によって吹出口１９を開閉し、かつ運転条件に応じて、当該吹出口１９から吹き出される空気の吹き出し方向を上下方向に設定可能であり、複数の縦羽根２３は、運転条件に応じて、当該吹出口１９から吹き出される空気の吹き出し方向を左右方向に設定可能である。
【０００８】
本実施の形態では、空気調和機本体３の前面１１の吸込口１５と、上述した前面パネル５との間に、フィルタ昇降装置３１が配置されている。フィルタ昇降装置３１は、吸込みフィルタ３３を昇降するものであり、該吸込みフィルタ３３は、前面１１の吸込口１５と天面１３の吸込口１７とを同時に覆い、吸込口１５，１７から吸い込まれる室内空気中の塵埃を捕集する。図３は、前面パネル５を取り外し、フィルタ昇降装置３１を下降動作し、吸込みフィルタ３３を降下した状態を示し、図４は、フィルタ昇降装置３１そのものを示す。フィルタ昇降装置３１は、図４に示すように、１〜４段に区別された樹脂成形の昇降枠３５〜３８を備え、昇降枠３５〜３８がすべて引き出されると、図３の状態となって、吸込みフィルタ３３が降下し、昇降枠３５〜３８がすべて引き込まれると、図２の状態となって、吸込みフィルタ３３が吸込口１５，１７を覆うように格納される。
【０００９】
１段目の昇降枠３５は、図４に示すように、枠体３５Ａの内側を、左右及び上下に延出する補強用桁部３５Ｂで連結し、枠体３５Ａの両側には、断面略コ字状の一対のガイド３５Ｃを備えている。２段目の昇降枠３６は、同様に、枠体３６Ａの内側を、左右及び上下に延出する補強用桁部３６Ｂで連結し、枠体３６Ａの両側には、断面略コ字状の一対のガイド３６Ｃを備え、このガイド３６Ｃは、１段目の昇降枠３５のガイド３５Ｃ溝内に収納自在である。３段目の昇降枠３７は、枠体３７Ａの内側を、左右及び上下に延出する補強用桁部３７Ｂで連結し、枠体３７Ａの両側には、断面略コ字状の一対のガイド３７Ｃを備え、このガイド３７Ｃは、２段目の昇降枠３６のガイド３６Ｃ溝内に収納自在である。また、最終段の４段目の昇降枠３８は、枠体３８Ａの内側を、左右及び上下に延出する補強用桁部３８Ｂで連結し、枠体３８Ａの両側の端縁部３８Ｃは、３段目の昇降枠３７のガイド３７Ｃ溝内に収納自在である。
【００１０】
各昇降枠３５〜３８の中央には、縦に延びるガイド３５Ｄ〜３８Ｄが設けられ、ガイド３５Ｄ〜３８Ｄは、昇降枠３５〜３８の昇降時に、ガイド３５Ｄがガイド３６Ｄに収納され、ガイド３６Ｄがガイド３７Ｄに収納され、さらにガイド３７Ｄがガイド３８Ｄに収納されて、入れ子式に収納自在である。
【００１１】
４段目の昇降枠３８の下端には、破線で示すように、左右２分割の状態で吸込みフィルタ３３が取り付けられる。吸込みフィルタ３３は、その中段部を、４段目の昇降枠３８の上端部に設けた押さえ片３８Ｅの下側に挿入し、下端部を、４段目の昇降枠３８の下端部に設けた連結片３８Ｆに連結して支持されている。
フィルタ昇降装置３１を構成する昇降枠３５〜３８は、１段目の枠体３５Ａの両上端３５Ｆを、図３に示すように、空気調和機本体３の前面１１の両側上端に、ビス（図示せず）等の留め具を介して取り付けられている。
【００１２】
また、図４に示すように、１段目の枠体３５Ａの右側ガイド３５Ｃには、昇降枠３５〜３８を昇降する正逆回転可能な直流ステッピングモータ３９が取り付けられている。このステッピングモータ３９の出力軸にはベルト４１が連結され、このベルト４１は、各昇降枠３５〜３８に連結され、ステッピングモータ３９が正回転駆動されると、図３に示すように、昇降枠３５〜３８がすべて引き出されて、吸込みフィルタ３３が降下し、ステッピングモータ３９が逆回転駆動されると、図２に示すように、昇降枠３５〜３８がすべて引き込まれて、吸込みフィルタ３３が格納される。
昇降枠３５〜３８がすべて引き出された状態では、図３に示すように、１段目の枠体３５Ａの上縁が、所定位置まで低く下がって維持されており、枠体３５Ａの上縁の上方に形成される空間を通じて、電気式除塵フィルタ４０が装着される。この電気式除塵フィルタ４０は、図２に示すように、熱交換器７と吸込みフィルタ３３との間に装着され、吸込みフィルタ３３を通過した室内空気中の塵埃を捕集が可能である。
【００１３】
吸込みフィルタ３３は、上述したように４段目の昇降枠３８の下端に固定されるため、昇降枠３５〜３８が上昇し、吸込みフィルタ３３が空気調和機本体３の前面１１から天面１３に進入する過程では、吸込みフィルタ３３の上部が湾曲して前面１１から天面１３に進入する。
この空気調和機本体３の天面１３は、図２に示すように、空気調和機本体３の上部３Ａと、この上部３Ａの上に隙間δをあけて着脱自在に取り付けられる天面パネル４３とで構成され、上述した吸込みフィルタ３３の上部は湾曲して該隙間δ内に進入し、昇降枠３５〜３８がすべて引き込まれた状態（図２）では、吸込みフィルタ３３が、前面１１及び天面１３の各吸込口１５，１７を同時に覆う。
【００１４】
本実施の形態では、図３に示すように、天面パネル４３の前縁部に対し、各吸込みフィルタ３３に対応して、吸込みフィルタ３３の上部の方向転換部、すなわち吸込みフィルタ３３が前面１１から天面１３に方向転換する部位に突出して、吸込みフィルタ３３の上部を前面１１から天面１３に滑らかに案内可能に、フィルタ案内部４３Ａが一体に設けられている。また図２に示すように、方向転換した後の吸込みフィルタ３３の先端部を、天面パネル４３の下面に対し滑らかに案内自在に、天面パネル４３の前後方向に延びる桁部４３Ｂの下面に、湾曲リブ４５が一体に設けられている。この構成では、フィルタ案内部４３Ａ、及び湾曲リブ４５の協働によって、吸込みフィルタ３３の上部が、空気調和機本体３の前面１１から天面１３に対し、滑らかに案内されて進入が可能となる。
【００１５】
上記前面パネル５は、図２に示すように、空気調和装置１の不作動状態において、フィルタ昇降装置３１を完全に覆うように、空気調和機本体３の前面１１に隙間無く閉じている。そして、空気調和装置１を作動する段階、或いはフィルタ昇降装置３１を作動し、昇降枠３５〜３８を降下する段階には、図５及び図６に示すように、リンク機構４６を介して、前面パネル５が前方に押し出され、空気吸い込みのための隙間確保、或いは昇降枠３５〜３８の降下のための隙間が確保される。
【００１６】
本実施形態に係る空気調和装置１は、ユーザが操作するリモートコントローラ５０からの指示に従って運転される。このリモートコントローラ５０は、図１に示すように、空気調和装置１の運転状態や運転条件等の各種情報を表示する表示部５１を備える。また、リモートコントローラ５０は、操作ボタンとして、暖房運転開始を指示する暖房運転ボタン５２と、冷房運転の開始を指示する冷房運転ボタン５３と、運転停止を指示する運転停止ボタン５４と、設定温度の変更を指示する温度設定ボタン５５と、風量の変更を指示する風量指示ボタン５６と、上下の風向変更を指示する上下風向指示ボタン５７と、水平方向の風向変更を指示する左右風向指示ボタン５８と、を備える。
この他、リモートコントローラ５０は、操作ボタンとして、図１に示すように、下降ボタン５９ａと、上昇ボタン５９ｂと、を備える。
【００１７】
下降ボタン５９ａは、空気調和装置１の運転が停止されている状態において、上述した昇降枠３５〜３８及び吸込みフィルタ３３の降下を指示するための操作ボタンであり、ユーザ等は、詳細は後述するが、吸込みフィルタ３３の洗浄を行う際、この下降ボタン５９ａによって、吸込みフィルタ３３の降下を指示し、吸込みフィルタ３３を本体下方に露出させた後（図３及び図６に示す状態）、昇降枠３８から吸込みフィルタ３３を取り外し、吸込みフィルタ３３の洗浄を行う。
同様に、上昇ボタン５９ｂは、昇降枠３５〜３８及び吸込みフィルタ３３が降下している状態（図３及び図６に示す状態）において、これら昇降枠３５〜３８及び吸込みフィルタ３３の上昇を指示するための操作ボタンであり、ユーザ等は、吸込みフィルタ３３の洗浄後、引き出された状態の昇降枠３８に再び吸込みフィルタ３３を連結し、この上昇ボタン５９ｂによって、吸込みフィルタ３３の上昇を指示する。上昇の指示があると、昇降枠３５〜３８が上昇し、上述したように、吸込みフィルタ３３が、吸込口１５，１７に対応する所定の位置に収納される。
【００１８】
ところで、上述したように、吸込みフィルタ３３は、吸込口１５，１７から吸い込まれる室内空気の塵埃を捕集する部材であり、捕集した塵埃等に起因して汚れが発生するため、適宜洗浄することが求められる。本実施形態では、吸込みフィルタ３３が以下の構成を備えることにより、吸込みフィルタ３３の洗浄作業の簡易化が図られると共に、洗浄作業に係る労力の低減が図られている。
【００１９】
以下、本実施形態に係る吸込みフィルタ３３の構成について詳述する。
図７は、上述した昇降枠３８と、この昇降枠３８に取り付けられる２つのベースフィルタ６０とを分解した状態で示す図であり、図８は、吸込みフィルタ３３の分解斜視図であり、図９は、吸込みフィルタ３３の正面図である。
この吸込みフィルタ３３は、図８に示すように、上述した昇降枠３８に脱着自在に取り付けられるベースフィルタ６０を備える。そして、このベースフィルタ６０には、図９に示すように、ベースフィルタ６０と外形の形状が略同一の形状で、例えばポリエステル、レーヨン製等の使い捨てフィルタ素材６１が、ベースフィルタ６０の前面の全域を塞ぐ状態で取り付けられている。このフィルタ素材６１には、難燃ポリエステル、難燃レーヨン等を使用することが望ましい。
【００２０】
ベースフィルタ６０は、図８に示すように、ベースフィルタ６０のフレームたるフィルタ支持枠６２を備えており、このフィルタ支持枠６２は、外枠部分を構成する正面視矩形状の枠部６３を備える。この枠部６３は、枠部６３の上辺を構成する上枠部６３ａと、枠部の下辺を構成する下枠部６３ｂと、図８の枠部６３の左辺を構成する左枠部６３ｃと、図８の枠部６３の右辺を構成する右枠部６３ｄと、を備えている。また、枠部６３の内側部分において、枠部６３の上枠部６３ａから下枠部６３ｂに亘って上下方向に延在する左右の縦桁部６４Ｌ，６４Ｒと、枠部６３の左枠部６３ｃから右枠部６３ｄに亘って左右方向に延在する上下の横桁部６５Ｕ，６５Ｄと、が設けられ、これら左右の縦桁部６４Ｌ，６４Ｒ及び上下の横桁部６５Ｕ，６５Ｄは、枠部６３の内側を井桁状に仕切っており、これら縦桁部６４Ｌ，６４Ｒと横桁部６５Ｕ，６５Ｄとで仕切られた箇所には、通過する空気の塵埃を捕集する網部６６が取り付けられている。
【００２１】
このフィルタ支持枠６２は、樹脂材料によって一体的に成形され、吸込みフィルタ３３が挿入されたときに、略Ｌ字形状に屈曲できる程度の弾性を有している。また、縦桁部６４及び横桁部６５は、フィルタ支持枠６２の屈曲を妨げない範囲で、フィルタ支持枠６２の剛性を高めている。
【００２２】
また、枠部６３のうち上枠部６３ａには、図８及び図１０に示すように、上方へ向かって先細りの形状で形成された、断面三角形（図１０参照）のガイド部６７が設けられ、このガイド部６７の前面には、図１０に示すように、上方へ向かって傾斜したガイド案内部６８が形成されている。図１０に示すように、上枠部６３ａを基点とするガイド部６７の高さＨ１は、フィルタ支持枠６２に取り付けられた状態における使い捨てフィルタ素材６１の高さＨ２よりも高く形成されている。
【００２３】
このガイド部６７は、吸込みフィルタ３３が上述した隙間δへ進入する際、上述したフィルタ案内部４３Ａ（図３）に当接し、吸込みフィルタ３３をこの隙間δへ案内する部材である。具体的には、吸込みフィルタ３３が隙間δに進入する過程において、このガイド部６７に形成されたガイド案内部６８が、上述したフィルタ案内部４３Ａ（図３）に当接し、フィルタ案内部４３Ａの傾斜に応じて、吸込みフィルタ３３を隙間δへ滑らかに案内する。そして、吸込みフィルタ３３が隙間δを後方へ向かって侵入している間、このガイド案内部６８は、上述した湾曲リブ４５に接触しつつ、後方へ向かって摺動し、吸込みフィルタ３３が所定位置に配置されるまで、吸込みフィルタ３３を案内する。
ここで、ガイド部６７の高さＨ１は、使い捨てフィルタ素材６１の高さＨ２より高く形成されているため、吸込みフィルタ３３が隙間δに進入する過程において、このガイド部６７が障壁となり、使い捨てフィルタ素材６１がフィルタ案内部４３Ａや湾曲リブ４５等に接触することがなく、使い捨てフィルタ素材６１のベースフィルタ６０に対する、めくれやはがれ等が防止されている。
【００２４】
また、フィルタ支持枠６２の枠部６３のうち左枠部６３ｃには、図７、図８、及び、図９に示すように、下方が幅広となった幅広部６３Ｌ（図８では、不図示）が形成され、同様に、右枠部６３ｄには、下方が幅広となった幅広部６３Ｒが形成されている。これら幅広部６３Ｌ，６３Ｒは、昇降枠３８の上述した押さえ片３８Ｅの下側に挿入され、この押さえ片３８Ｅによって支持される部材である。なお、本実施形態では、押さえ片３８Ｅは、この押さえ片３８Ｅの下端部の方が上端部よりも枠体３８Ａとの隙間が大きく形成されている。このため、４段目の昇降枠３８に使い捨てフィルタ３３を取り付ける場合に、この使い捨てフィルタ３３の上端部を容易に押さえ片３８Ｅの下側に挿入することができ、取り付け作業の簡易化が図られている。さらに、この押さえ片３８Ｅは、吸込みフィルタ３３の略中段部を押さえるため、吸込みフィルタ３３が昇降枠３５〜３８から離れる側に倒れることが防止され、この昇降枠３５〜３８をすべて引き込む際に、フィルタ３３はスムーズに上記吸込口１５、１７を覆うように格納される。
【００２５】
フィルタ支持枠６２の枠部６３のうち下枠部６３ｂには、図７及び図８に示すように、吸込みフィルタ３３を昇降枠３８に連結するための２つの連結孔６９が形成されている。この連結孔６９は、昇降枠３８の上述した連結片３８Ｆと係合する孔である。この連結孔６９の内径は、連結片３８Ｆの外径と略同じ大きさに形成されており、小さな力で連結片３８Ｆを連結孔６９に嵌め込むことができるようになっている。
本構成では、昇降枠３８に設けられた押さえ片３８Ｅの下側にフィルタ３３を挿入するとともに、この４段目の昇降枠３８の下端部に設けられた連結片３８Ｆに吸込みフィルタ３３に設けられた連結孔６９を嵌め込むといった簡単な作業で吸込みフィルタ３３を昇降枠３５〜３８に保持させることができる。
【００２６】
また、図８及び図９に示すように、ベースフィルタ６０には、その前面、すなわち、吸込口１５，１７と対向する側の面の全域を覆うように、使い捨てフィルタ素材６１が着脱自在に取り付けられる。この使い捨てフィルタ素材６１は、通過する空気に含まれる塵埃を捕集するための部材であり、吸込口１５，１７とベースフィルタ６０との間に介在し、吸込口１５，１７から吸い込まれた空気に含まれる塵埃のほとんどを、ベースフィルタ６０に至る前に捕集する構成となっている。さらに、使い捨てフィルタ素材６１は、吸込口１５，１７から吸い込まれた空気に含まれる油を捕集し、この油に起因してベースフィルタ６０が汚れるのを防ぐ構成となっている。このため、ベースフィルタ６０に使い捨てフィルタ素材６１を取り付けた状態においては、ベースフィルタ６０が塵埃や油等によって汚れることが極力防がれ、ベースフィルタ６０の洗浄の頻度を減らすことができ、洗浄作業にかかる労力が低減される。
【００２７】
また、使い捨てフィルタ素材６１は、事前に複数枚同じものが用意されており、使い捨てフィルタ素材６１が、所定期間ベースフィルタ６０に取り付けられ塵埃等により汚れた場合、この取り付けられていた古い使い捨てフィルタ素材６１をベースフィルタ６０から取り外して破棄し、使用していない新しい使い捨てフィルタ素材６１をベースフィルタ６０に取り付けることができるようになっている。
このため、利用者やユーザ等は、一定期間空気調和装置１を稼動した後に、吸込みフィルタ３３の洗浄をする際、使用後の汚れた使い捨てフィルタ素材６１を破棄し、使用前の使い捨てフィルタ素材６１をベースフィルタ６０に取り付ける、という簡単かつ単純な作業によって、吸込みフィルタ３３の洗浄を行うことができ、作業の簡易化及び迅速化が図られている。また、例えば、使い捨てフィルタ素材６１を台所等で使用した場合に、該フィルタ素材６１に、油が付着したとしても、該フィルタ素材６１の洗浄を行うことなく、これを使い捨てできるため、便宜性が向上する。
【００２８】
ここで、吸込みフィルタ３３の網部６６及び使い捨てフィルタ素材６１について詳述する。
図１３は、網部６６における面風速と圧力損失との関係を示すグラフであり、図１４は、使い捨てフィルタ素材６１における面風速と圧力損失との関係を示すグラフであり、図１５は、網部６６と使い捨てフィルタ素材６１とを重ねた状態における面風速と圧力損失との関係を示すグラフである。
本実施形態では、図１５に示すように、ベースフィルタ６０の網部６６の圧力損失と、使い捨てフィルタ素材６１の圧力損失との合計圧力損失が、吸込みフィルタ３３の機能を発揮するために許容される圧力損失の範囲内になるよう規定されている。具体的には、網部６６と使い捨てフィルタ素材６１とを重ねた状態において、図１５に示すように、面風速１ｍ／秒時のときに発生する圧力損失が３Ｐaを上限とする範囲内となるよう規定されている。
これを実現するため、網部６６を、図１３に示すように、面風速１ｍ／秒時のときに発生する圧力損失が１Ｐａを上限とする値となるように構成し、かつ、使い捨てフィルタ素材６１を、図１４に示すように、面風速１ｍ／秒時の時に発生する圧力損失が２Ｐａを上限とする値となるように構成している。これにより、網部６６と使い捨てフィルタ素材６１とを重ねた状態においても、これら網部６６及び使い捨てフィルタ素材６１による圧力損失を、吸込みフィルタ３３のフィルタとしての機能を発揮するための圧力損失に抑えたまま、塵埃等の捕集を効率よく行えるようになっている。
【００２９】
網部６６及び使い捨てフィルタ素材６１の各々の圧力損失は、その合計圧力損失が、上述した許容される圧力損失の範囲内に収まることを条件に、任意に設計することができる。従って、例えば、使い捨て可能であるためコストが高くなる傾向がある使い捨てフィルタ素材６１を、コスト削減のため薄く設計した場合（つまり、圧力損失を低くした場合）、上記許容される圧力損失の範囲内で網部６６の圧力損失を適切な値に設計し、吸込みフィルタ３３の集塵機能を維持できるようにすることができる。
【００３０】
図１６において、横軸は、空気調和装置１の運転開始からの時間の経過を示し、縦軸は、空気調和装置１の運転開始時に被調和室に残存する綿埃を１００パーセントとしたときの、綿埃の濃度を示している。なお、ここでは、綿埃は、線径が０．０３〜０．０５ｍｍの範囲にある短い綿埃を対象としている。
図１６において、線Ａは、吸込みフィルタ３３を装着せずに、空気調和装置１を運転したときの状態を示す線であり、線Ｂは、網部６６と使い捨てフィルタ素材６１とが重なって取り付けられた状態の吸込みフィルタ３３を装着して、空気調和装置１を運転したときの状態を示す線である。
上述したように、本実施形態では、吸込みフィルタ３３は、その圧力損失が、フィルタとしての機能を発揮するのに許容される圧力損失に抑えられた状態で、綿埃等の捕集を行うため、被調和室に残存する塵埃を効率よくかつ速やかに捕集する。このため、図１６に示すように、吸込みフィルタ３３を装着しない場合と比較して、短時間で格段に被調和室の綿埃の除去を行うことができ、ユーザの快適性を向上が図られる。
【００３１】
また、本実施形態では、ベースフィルタ６０に対し使い捨てフィルタ素材６１を簡易に脱着できる構造となっており、この構造により、ユーザは、使い捨てフィルタ素材６１の交換を容易かつ迅速に行うことができるようになっている。以下、ベースフィルタ６０及び使い捨てフィルタ素材６１の取り付け構造について詳述する。
【００３２】
図１０は、図９におけるＩＸ−ＩＸ断面図であり、図１１は、フック機構７０ａ（後述）によって、使い捨てフィルタ素材６１がフィルタ支持枠６２に固定される前の状態を示す図であり、図１２は、フック機構７０ａによって、使い捨てフィルタ素材６１が、フィルタ支持枠６２に固定された後の状態を示す図である。
図８に示すように、フィルタ支持枠６２において、縦桁部６４Ｒと、上枠部６３ａとが交わる位置には、フック機構７０ａが設けられている。同様に、縦桁部６４Ｌと上枠部６３ａとが交わる位置には、フック機構７０ａと同様の構成を有するフック機構７０ｂが設けられている。また、下枠部６３ｂの右部には、フック機構７０ａと同様の構成を有すると共に、フック機構７０ａと天地逆の状態で取り付けられたフック機構７０ｃが設けられ、また、下枠部６３ｂの左部には、フック機構７０ｄが設けられている。
これらフック機構７０は、フィルタ支持枠６２に対して、使い捨てフィルタ素材６１の位置決め固定を簡易に行うための機構であり、ユーザ等は、このフック機構７０を介して、フィルタ支持枠６２に使い捨てフィルタ素材６１を容易に脱着することができるようになっている。以下、４つのフック機構７０のうち、フック機構７０ａを例にとって、フック機構７０の構成を説明する。
【００３３】
フック機構７０ａは、図８〜図１２に示すように、縦桁部６４Ｒの上端部に設けられた突起部７１ａと、この突起部７１ａの上方に設けられた押さえ部７２ａと、を有している。突起部７１ａは、図８〜図１２に示すように、縦桁部６４Ｒの上端において、前方へ向かって突出した形状で設けられている。この突起部７１ａは、使い捨てフィルタ素材６１の係止孔７３ａ（後述）に貫通し、使い捨てフィルタ素材６１の動きを規制すると共に、押さえ部７０ａに形成された嵌合孔７４ａ（後述）に嵌合し（図１２に示す状態）、使い捨てフィルタ素材６１をフィルタ支持枠６２に固定する部材である。また、突起部７１ａの下方に形成された面には、図１０に示すように、下方へ突出した形状の係止部７５ａが設けられている。この係止部７５ａは、突起部７１ａと嵌合孔７４ａとが嵌合した際（図１２に示す状態）、嵌合孔７４ａに引っ掛かって係止する部材である。
【００３４】
一方、押さえ部７２ａは、突起部７１ａに嵌合し、フィルタ支持枠６２に取り付けられた使い捨てフィルタ素材６１を挟持、固定するための部材であり、図８〜図１１に示すように、突起部７１ａの上方に位置する上枠部６３ａの上縁から、突出した形状で設けられている。この押さえ部７２ａの基端には、図１０及び図１１に示すように、裏面に左右方向に複数の溝が形成された湾曲部７７ａが形成されおり、押さえ部７２ａはこの湾曲部７７ａを境に容易に前方へ向かって湾曲する構成となっている（図１２に示す状態）。また、押さえ部７２ａの先端には、図８〜図１２に示すように、上述した突起部７１ａに嵌合する嵌合孔７４ａが形成されている。この嵌合孔７４ａの図１１における上方には、貫通孔７８ａが形成され、この貫通孔７８ａと嵌合孔７４ａとの間に肉薄の連結部７９ａが形成されている。この連結部７９ａは、詳細は後述するが、突起部７１ａと嵌合孔７４ａとを嵌合させる際に、突起部７１ａの係止部７５ａが当接する箇所であり、係止部７５ａがこの肉薄の連結部７９ａを弾性変形可能な構成となっている。
【００３５】
上記構成の突起部７１ａと押さえ部７２ａの嵌合、及び、嵌合の解除は、以下のように行われる。すなわち、突起部７１ａと、押さえ部７２ａを嵌合する際は、図１１の破線矢印Ｙ１に示すように、押さえ部７２ａを、湾曲部７７ａを中心に前方へ向かって回動した後、押さえ部７２ａの嵌合孔７４ａを、突起部７１ａに嵌め込む。このとき、突起部７１ａの係止部７５ａが、連結部７９ａを弾性変形しつつ、押さえ部７２ａの嵌合孔７４ａに入り込み、押さえ部７２ａの上面の淵に弾発的に係止し、突起部７１ａと押さえ部７２ａとの嵌合が完了する（図１２）。
一方、突起部７１ａと押さえ部７２ａと嵌合を解除する際は、図１２の破線矢印Ｙ２に示すように、湾曲部７７ａを中心に、押さえ部７２ａの先端を回動する。その際、突起部７１ａの係止部７５ａによる係止が外れるよう、押さえ部７２ａの先端を下方へ引きつつ、回動する。これにより、係止部７５ａによる係止が外れ、突起部７１ａと、押さえ部７２ａの嵌合孔７４ａとの嵌合が解除される。
【００３６】
また、フィルタ支持枠６２に設けられた他のフック機構７０も、上記構成のフック機構７０ａと略同一の構成を有しており、フック機構７１ｂは、突起部７１ｂと押さえ部７２ｂとを有し、フック機構７０ｃは、突起部７１ｃと押さえ部７２ｃとを有し、フック機構７０ｄは、突起部７１ｄと押さえ部７２ｄとを有している。
ここで、本実施形態では、図８に示すように、フィルタ支持枠６２が備える４つの突起部７１のうち、上方に設けられた突起部７１ａ及び突起部７１ｂの間の距離と、下方に設けられた突起部７１ｃ及び突起部７１ｄの間の距離と、が異なっており、使い捨てフィルタ素材６１を天地逆に取り付けることができない構成となっている。この構成のため、ユーザ等が使い捨てフィルタ素材６１をフィルタ支持枠６２に取り付けるときに、天地逆に取り付けてしまうことが確実に防止されている。
【００３７】
また、図８に示すように、フィルタ支持枠６２の上枠部６３ａの右端部には、前方に突出した状態で位置決め用突起８０Ｒが設けられ、同様に、上枠部６３ａの左端部には、前方に突出した状態で位置決め用突起８０Ｌが設けられている。これら位置決め用突起８０Ｒ，８０Ｌは、使い捨てフィルタ素材６１の位置決めを行うための部材であり、使い捨てフィルタ素材６１が、ベースフィルタ６０のフィルタ支持枠６２に取り付けられるときに、使い捨てフィルタ素材６１において、これら位置決め用突起８０Ｒ，８０Ｌに対応する箇所に形成された位置決め用係止孔８１Ｒ，８１Ｌ（後述）が係止し、これにより使い捨てフィルタ素材６１の位置決めがなされる。また、これら位置決め用突起８０Ｒ，８０Ｌは、使い捨てフィルタ素材６１の隅部に係止することにより、使い捨てフィルタ素材６１の隅部のめくれやねじれ等を防止している。
【００３８】
一方、上述したフィルタ支持枠６２に取り付けられる使い捨てフィルタ素材６１は、図８及び図９に示すように、正面視において、フィルタ支持枠６２の枠部６３と略同一の大きさを有している。この使い捨てフィルタ素材６１の上部において、上述した突起部７１ａ，７１ｂに対応する箇所には、図８及び図９に示すように、これら突起部７１ａ，７１ｂに貫通した状態で係止する係止孔７３ａ，７３ｂが形成され、同様に、使い捨てフィルタ素材６１の下部において、上述した突起部７１ｃ，７１ｄに対応する箇所には、係止孔７３ｃ，７３ｄが形成されている。また、使い捨てフィルタ素材６１の右上端部において、上述した位置決め用突起８０Ｒに対応する箇所には、位置決め用突起８０Ｒに係止するための位置決め用係止孔８１Ｒが形成され、使い捨てフィルタ素材６１の左上端部において、上述した位置決め用突起８０Ｌに対応する箇所には、位置決め用突起８０Ｌに係止するための位置決め用係止孔８１Ｌが形成されている。
【００３９】
次いで、上記構成のベースフィルタ６０に取り付けられた使い捨てフィルタ素材６１を交換する際の動作について説明する。
ここで、説明の便宜のため、ベースフィルタ６０に使用により汚れた使い捨てフィルタ素材６１が取り付けられた状態であるものとし、また、交換用の新しい使い捨てフィルタ素材６１が準備されているものとする。
まず、ユーザ等は、リモートコントローラ５０の下降ボタン５９ａを操作し、昇降枠３５〜３８を空気調和機本体３から下方へ向かって引き出し、吸込みフィルタ３３を露出する（図３及び図６に示す状態）。次いで、昇降枠３８から吸込みフィルタ３３を取り外すべく、上述した４段目の昇降枠３８の押さえ片３８Ｅ及び連結片３８Ｆによる、吸込みフィルタ３３の連結を解き、吸込みフィルタ３３を取り外す。
【００４０】
その後、ベースフィルタ６０のフィルタ支持枠６２に取り付けられた使い捨てフィルタ素材６１を取り外すべく、上述した４つのフック機構７０による使い捨てフィルタ素材６１の保持を解除する。フック機構７０ａを例に詳述すると、図１２に示す押さえ部７２ａの先端を把持し、この押さえ部７２ａの先端を、湾曲部７７ａを中心として図１２中破線矢印Ｙ２に示す方向へ回動し、係止部７５ａと連結部７９ａとの係合を解除し、突起部７１ａから押さえ部７２ａを抜き取る（図１１に示す状態）。これにより、フック機構７０による使い捨てフィルタ素材６１の保持が解除され、フィルタ支持枠６２から使い捨てフィルタ素材６１を取り外すことができるようになる。
このように、本実施形態では、押さえ部７２ａを把持し、この押さえ部７２ａを回動するという簡単な動作で、フック機構７０による使い捨てフィルタ素材６１の保持を解除できるため、ユーザ等は、簡易かつ迅速にフィルタ支持枠６２から使い捨てフィルタ素材６１を取り外すことができる。
【００４１】
ついで、ユーザは、取り外した使い捨てフィルタ素材６１を廃棄し、新たな使い捨てフィルタ素材６１をフィルタ支持枠６２に取り付ける。すなわち、使い捨てフィルタ素材６１の４つの係止孔７３に、それぞれ対応する突起部７１を係合すると共に、使い捨てフィルタ素材６１の２つの位置決め用係止孔８１に、それぞれ対応する位置決め用突起８０を係合させた状態で、使い捨てフィルタ素材６１をフィルタ支持枠６２に取り付ける。そして、４つのフック機構７０によって使い捨てフィルタ素材６１を固定する。フック機構７０ａを例に詳述すると、ユーザは、図１１に示す状態の押さえ部７２ａの先端を把持した後、押さえ部７２ａの先端を、湾曲部７７ａを中心に図１１中破線矢印Ｙ１で示す方向へ回動する。そして、嵌合孔７４ａに突起部７１ａを嵌め込んだ状態で、突起部７１ａに設けられた係止部７５ａが連結部７９ａに弾発的に係止するまで、押さえ部７２ａを突起部７１ａの基端へ向かって押し込む（図１２に示す状態）。
【００４２】
これにより、突起部７１ａと嵌合孔７４ａが嵌合し、押さえ部７２ａによって使い捨てフィルタ素材６１の前方への動きが規制され、使い捨てフィルタ素材６１がフィルタ支持枠６２に固定される。このように、本実施形態では、押さえ部７２ａを把持し、この押さえ部を回動する、という簡単な動作で、フック機構７０によって使い捨てフィルタ素材６１を保持できるため、ユーザ等は、簡易かつ迅速にフィルタ支持枠６２に使い捨てフィルタ素材６１を取り付けることができる。
その後、ユーザ等は、リモートコントローラ５０の上昇ボタン５９ｂを操作し、昇降枠３５〜３８及び吸込みフィルタ３３を上昇させ、吸込みフィルタ３３を吸込口１５，１７に対応する所定の位置に格納する。
【００４３】
以上説明したように、本実施の形態によれば、使い捨てフィルタ素材６１が、吸込口１５，１７とベースフィルタ６０との間に介在し、吸込口１５，１７から吸い込まれた空気に含まれる塵埃のほとんどを、ベースフィルタ６０に至る前に捕集する構成となっている。このため、ベースフィルタ６０に使い捨てフィルタ素材６１を取り付けた状態においては、ベースフィルタ６０が塵埃等によって汚れることが極力防がれ、ベースフィルタ６０の洗浄の頻度を減らすことができ、洗浄作業にかかる労力が低減される。
また、本実施の形態によれば、使い捨てフィルタ素材６１は、事前に複数枚同じものが用意されており、使い捨てフィルタ素材６１が、所定期間ベースフィルタ６０に取り付けられ塵埃等により汚れた場合、この取り付けられていた古い使い捨てフィルタ素材６１をベースフィルタ６０から取り外して破棄し、使用していない新しい使い捨てフィルタ素材６１をベースフィルタ６０に取り付けることができるようになっている。このため、利用者やユーザ等は、一定期間空気調和装置１を稼動した後に、吸込みフィルタ３３の洗浄をする際、使用後の汚れた使い捨てフィルタ素材６１を破棄し、使用前の使い捨てフィルタ素材６１をベースフィルタ６０に取り付ける、という簡単かつ単純な作業によって、吸込みフィルタ３３の洗浄を行うことができ、作業の簡易化及び迅速化が図られている。
【００４４】
また、本実施の形態によれば、上枠部６３ａに、フィルタ案内部４３Ａに当接し、吸込みフィルタ３３を隙間δへ案内するガイド部６７が設けられているため、吸込みフィルタ３３が滑らかに隙間δへ収納される。また、図１０に示すように、ガイド部６７の高さＨ１が使い捨てフィルタ素材６１の高さＨ２より高く形成されているため、吸込みフィルタ３３が隙間δに進入する過程において、このガイド部６７が障壁となり、使い捨てフィルタ素材６１がフィルタ案内部４３Ａや湾曲リブ４５等に接触することがなく、使い捨てフィルタ素材６１のベースフィルタ６０に対する、めくれやはがれ等が防止される。
また、本実施の形態によれば、ベースフィルタ６０の網部６６の圧力損失と、使い捨てフィルタ素材６１の圧力損失との合計圧力損失が、吸込みフィルタ３３の機能を発揮するために許容される圧力損失の範囲内になるよう規定されている。これにより、網部６６と使い捨てフィルタ素材６１とを重ねた状態においても、これら網部６６及び使い捨てフィルタ素材６１による圧力損失を、吸込みフィルタ３３のフィルタとしての機能を発揮するための圧力損失に抑えたまま、塵埃等の捕集を効率よく行うことができる。
【００４５】
なお、上述した実施の形態は、あくまでも本発明の一態様を示すものであり、本発明の範囲内で任意に変形および応用が可能である。
例えば上述した実施形態において、リモートコントローラ５０には、吸込みフィルタ３３の昇降を指示する操作子として、下降ボタン５９ａ及び上昇ボタン５９ｂの２つのボタンを設ける構成としたが、これに限らず、吸込みフィルタ３３の昇降を指示する指示ボタンを１つだけ設ける構成としても良い。
また、本実施形態では、吸込みフィルタ３３は、ベースフィルタ６０が備える網部６６と、使い捨てフィルタ素材６１と、を備え、これら網部６６及び使い捨てフィルタ素材６１が重なって使用される構成であったが、ベースフィルタ６０が網部６６を備えず、吸込口１５，１７から流入する空気の塵埃の捕集を、使い捨てフィルタ素材６１によって行う構成としてもよい。ただし、この場合、使い捨てフィルタ素材６１の目の粗さを密にし、使い捨てフィルタ素材６１のみで十分塵埃の捕集を行うことができる構成とする必要がある。
【図面の簡単な説明】
【００４６】
【図１】本発明の実施形態における空気調和装置の全体斜視図である。
【図２】図１の側部断面図である。
【図３】前面パネルを取り外した状態であって、フィルタ昇降装置を下降動作し、フィルタを降下した状態を示す斜視図である。
【図４】フィルタ昇降装置の正面図である。
【図５】図２の状態からフィルタ昇降装置が下降動作している状態を示す側部断面図である。
【図６】図５の状態からフィルタ昇降装置が下降動作を完了した状態を示す側部断面図である。
【図７】昇降枠及び吸込みパネルを分解して示す斜視図である。
【図８】ベースフィルタ及び使い捨てフィルタを分解して示す斜視図である。
【図９】吸込みフィルタの正面図である。
【図１０】図９におけるＩＸ−ＩＸ断面図である。
【図１１】押さえ部と突起部が嵌合していない状態のフック機構の斜視図である。
【図１２】押さえ部と突起部が嵌合した状態のフック機構の斜視図である。
【図１３】網部における面風速と圧力損失との関係を示す図である。
【図１４】使い捨てフィルタ素材における面風速と圧力損失との関係を示す図である。
【図１５】網部と使い捨てフィルタ素材とを重ねた状態における面風速と圧力損失との関係を示す図である。
【図１６】時間の経過と被調和室に残存する綿埃の濃度との関係を示す図である。
【符号の説明】
【００４７】
１  空気調和装置
３  空気調和機本体
７  熱交換器
９  送風機
１１  前面
１３  天面
１５，１７  吸込口
３１  フィルタ昇降装置
３３  吸込みフィルタ
３５  昇降枠
５０  リモートコントローラ
５９ａ  下降ボタン
５９ｂ  上昇ボタン
６０  ベースフィルタ
６１  使い捨てフィルタ素材
６２  フィルタ支持枠
６３  枠部
６３ａ  上枠部
６３ｂ  下枠部
６３ｃ  左枠部
６３ｄ  右枠部
６４Ｌ，６４Ｒ  縦桁部
６５Ｕ，６５Ｄ  横桁部
６６  網部
６７  ガイド部
７０，７０ａ，７０ｂ，７０ｃ，７０ｄ  フック機構
【図１】
2009085472.tif 000003
【図２】
2009085472.tif 000004
【図３】
2009085472.tif 000005
【図４】
2009085472.tif 000006
【図５】
2009085472.tif 000007
【図６】
2009085472.tif 000008
【図７】
2009085472.tif 000009
【図８】
2009085472.tif 000010
【図９】
2009085472.tif 000011
【図１０】
2009085472.tif 000012
【図１１】
2009085472.tif 000013
【図１２】
2009085472.tif 000014
【図１３】
2009085472.tif 000015
【図１４】
2009085472.tif 000016
【図１５】
2009085472.tif 000017
【図１６】
2009085472.tif 000018